(57)【要約】  【課題】ＩＣチップが組み込まれた非接触媒体を使用することで、電子決裁にとどまらず、顧客に利便性の高いサービスを提供する。  【解決手段】商品を選択するための商品選択手段６と、選択された商品を搬出するための商品搬出手段７と、非接触媒体３と情報を送受信する通信手段４と、コラム毎に収納された商品を登録するための商品設定手段８と、前記商品設定手段により登録された内容を記憶する商品記憶手段９と、砂糖の分量などの各種設定を行うための各種設定手段１０と、商品選択手段６と商品搬出手段７と通信手段４と商品設定手段８と商品記憶手段７と各種設定手段１０とに接続された演算制御部１１ａを備え、非接触媒体３をかざすだけで、各種設定をすることなく前回購入した商品を購入することができる。【選択図】図１
2007011922.tif 000002
【特許請求の範囲】
【請求項１】
商品を選択するための商品選択手段と、選択された商品を搬出するための商品搬出手段と、非接触媒体と情報を送受信する通信手段と、コラム毎に収納された商品を登録するための商品設定手段と、前記商品設定手段により登録された内容を記憶する商品記憶手段とを備え、販売待機状態において先に前記商品選択手段により選択し、その後非接触媒体による通信であると認識したときには、前記商品選択手段により選択された商品の搬出を前記商品搬出手段に指示し、販売待機状態において先に前記通信手段に前記非接触媒体がかざされたことを認識したときは、前回購入した商品の前記商品選択手段の販売待機表示を点灯し、点灯表示された前記商品選択手段を選択することにより前回購入した商品を搬出することを特徴とした自動販売機。
【請求項２】
販売待機状態において先に非接触媒体をかざすことにより選択された前回購入商品をキャンセルするための取り消し手段を備え、販売待機状態において先に非接触媒体による通信であると認識したときに選択される前回購入商品を前記取り消し手段によりキャンセルして、別の商品を選択できるようにすることを特徴とした請求項１に記載の自動販売機。
【請求項３】
販売待機状態において先に非接触媒体をかざすことにより選択された前回購入商品と別の商品を前記商品選択手段により選択することで自動的に選択解除するための選択解除手段を備え、販売待機状態において先に非接触媒体による通信であると認識したときに選択された前回購入商品と別の商品を前記商品選択手段により選択することで、別の商品を購入できるようにすることを特徴とした請求項１に記載の自動販売機。
【請求項４】
販売待機状態において先に非接触媒体をかざすことにより選択された前回購入商品を貨幣投入されることにより貨幣での購入を可能にする貨幣切替手段を備え、販売待機状態において先に非接触媒体による通信であると認識したときに選択された前回購入商品を貨幣投入することにより貨幣で商品購入をできるようにすることを特徴とした請求項１に記載の自動販売機。
【請求項５】
過去の購入商品を表示させるための履歴表示手段を備え、販売待機状態において先に非接触媒体による通信であると認識したときには、前回購入した商品の前記商品選択手段の販売待機ランプおよび各種設定を表示させ、さらに前記履歴表示手段を操作するごとに前々回、前々前回と購入した商品の前記商品選択手段の販売待機表示を点灯させ、点灯表示された前記商品選択手段を選択することにより過去に購入した商品を購入することができるようにすることを特徴とした請求項１に記載の自動販売機。
【発明の詳細な説明】
【技術分野】
【０００１】
本発明は、携帯電話等の非接触媒体を利用して電子決裁を行うことにより、自動販売機の商品を購入できるようにした自動販売機に関するものである。
【背景技術】
【０００２】
従来、この種の自動販売機は、非接触ＩＣカード等の非接触媒体を用い、この非接触媒体をかざすことにより精算が行われ、商品の搬出をしている（例えば、特許文献１参照）。
【０００３】
図１２は特許文献１に記載された従来の自動販売機を示すものである。図１２に示すように、制御装置１と、選択ボタン２と、非接触ＩＣカード１０と、カードリーダライタ２２とから構成されている。
【０００４】
以上のように構成された自動販売機について、以下その動作を説明する。
【０００５】
まず、顧客の非接触ＩＣカード１０を検知すると、カードリーダライタ２２が通信を行い、非接触ＩＣカード１０の電子マネー情報を自動販売機の制御装置１に送信する。制御装置１は受信した電子マネー情報に基づいて購入可能な商品の選択ボタン２のランプを点灯する。顧客が希望する商品を選択すると、非接触ＩＣカード１０の電子マネーの残金から選択された商品の金額を減算して、非接触ＩＣカード１０を新しいデータに書き換えさせる処理を行い、選択された商品を搬出する。
【特許文献１】特開２００３−２２８７５１号公報
【発明の開示】
【発明が解決しようとする課題】
【０００６】
しかしながら、上記従来の構成では、非接触媒体より受信した電子マネーの情報に基づいて購入可能な商品の選択ボタンのランプを点灯させ、商品を選択すると電子マネーの残金から選択された商品の金額を減額して商品の搬出を行うというプリペイドカードとしての利用価値しかないので、顧客にとって利便性の高いものとはいえないという課題を有していた。
【０００７】
本発明は従来の課題を解決するもので、ＩＣチップが組み込まれた非接触媒体を使用することで、電子決裁にとどまらず、顧客に利便性の高いサービスを提供することのできる自動販売機を提供することを目的とする。
【課題を解決するための手段】
【０００８】
上記従来の課題を解決するために、本発明の自動販売機は、先に商品選択手段により選択し、その後非接触媒体による通信であると認識したときには、選択された商品の搬出を商品搬出手段に指示し、販売待機状態で先に非接触媒体による通信であると認識したときには、前回購入した商品の前記商品選択手段の販売待機表示を点灯させ、点灯表示された商品選択手段を選択することにより前回購入した商品を搬出することを特徴としたものである。
【０００９】
これによって、顧客による商品購入までの操作を少なくし、すぐに購入希望商品が得られるようにしたものである。
【発明の効果】
【００１０】
本発明の自動販売機は非接触媒体をかざすだけで、顧客は前回購入商品の商品情報を容易に確認できるとともに、前回購入と同設定での商品購入においては砂糖やクリームなどの各種設定をすることなく、選択ボタンの操作だけで容易に前回購入商品を購入することができる。
【発明を実施するための最良の形態】
【００１１】
請求項１に記載の発明は、商品を選択するための商品選択手段と、選択された商品を搬出するための商品搬出手段と、非接触媒体と情報を送受信する通信手段と、コラム毎に収納された商品を登録するための商品設定手段と、前記商品設定手段により登録された内容を記憶する商品記憶手段とを備え、販売待機状態において先に前記商品選択手段により選択し、その後非接触媒体による通信であると認識したときには、前記商品選択手段により選択された商品の搬出を前記商品搬出手段に指示し、販売待機状態において先に前記通信手段に前記非接触媒体がかざされたことを認識したときは、前回購入した商品の前記商品選択手段の販売待機表示を点灯し、点灯表示された前記商品選択手段を選択することにより前回購入した商品を搬出することにより、前回購入した商品と同じ商品を購入することができる。
【００１２】
請求項２に記載の発明は、請求項１に記載の発明に、さらに、販売待機状態において先に非接触媒体をかざすことにより選択された前回購入商品をキャンセルするための取り消し手段を備え、販売待機状態において先に非接触媒体による通信であると認識したときに選択される前回購入商品を前記取り消し手段によりキャンセルして、別の商品を選択できるようになり、容易に別の商品を購入することができる。
【００１３】
請求項３に記載の発明は、請求項１に記載の発明に、さらに、販売待機状態において先に非接触媒体をかざすことにより選択された前回購入商品と別の商品を前記商品選択手段により選択することで自動的に選択解除するための選択解除手段を備え、販売待機状態において先に非接触媒体による通信であると認識したときに選択された前回購入商品と別の商品を前記商品選択手段により選択することで、別の商品を購入でき、通常の販売操作のみで別の商品を購入することができる。
【００１４】
請求項４に記載の発明は、請求項１に記載の発明に、さらに、販売待機状態において先に非接触媒体をかざすことにより選択された前回購入商品を貨幣投入されることにより貨幣での購入を可能にする貨幣切替手段を備え、販売待機状態において先に非接触媒体による通信であると認識したときに選択された前回購入商品を貨幣投入することにより貨幣で商品購入をでき、貨幣販売においても前回購入した商品と同じ商品を購入することができる。
【００１５】
請求項５に記載の発明は、請求項１に記載の発明に、さらに、過去の購入商品を表示させるための履歴表示手段を備え、販売待機状態において先に非接触媒体による通信であると認識したときには、前回購入した商品の前記商品選択手段の販売待機ランプおよび各種設定を表示させ、さらに前記履歴表示手段を操作するごとに前々回、前々前回と購入した商品の前記商品選択手段の販売待機表示を点灯させ、点灯表示された前記商品選択手段を選択することにより過去に購入した商品を購入することができる。
【００１６】
以下、本発明による自動販売機の実施の形態について、図面を参照しながら説明する。なお、この実施の形態によってこの発明が限定されるものではない。
【００１７】
（実施の形態１）
図１は、本発明の実施の形態１における自動販売機の概略構成図である。
【００１８】
図２は、同実施の形態の自動販売機の機能ブロック図である。図３は、同実施の形態の自動販売機の動作を示すフローチャートである。
【００１９】
図１、図２において、本体１は、商品を購入する顧客２が携帯しているＩＣチップが組み込まれた非接触媒体３と、情報を送受信する通信手段４と、購入したい商品を選択するための商品選択手段６と、選択された商品を搬出するための商品搬出手段７と、コラムに収納された商品の商品名を記憶するための商品記憶手段９と、砂糖の分量などの各種設定を行うための各種設定手段１０と、商品選択手段６と商品搬出手段７と通信手段４と商品設定手段８と商品記憶手段９と各種設定手段１０とに接続された演算制御部１１ａを備えた制御装置５から構成されている。
【００２０】
まず、顧客２が自動販売機１の商品選択手段６の希望商品を選択するための選択ボタンが選択されたかの確認を行う（ＳＴＥＰ１）。商品が選択された場合は、非接触媒体３がかざされたかの確認を行う（ＳＴＥＰ２）。非接触媒体３がかざされなかった場合は、販売処理を終了する。非接触媒体３がかざされた場合は、認証処理を行う（ＳＴＥＰ３）。認証処理が正常に行われなかった場合は、販売処理を終了する。
【００２１】
認証処理が正常に行われた場合は、非接触媒体３に組み込まれたＩＣチップ内のデータを送信する（ＳＴＥＰ４）。送信されたデータ内の残金と販売商品の価格との比較を行う（ＳＴＥＰ５）。残金＜商品価格の場合は、販売可能な商品の選択ランプを点灯させ（ＳＴＥＰ６）、顧客２が他に希望する商品の選択ボタンが押されたかの確認を行う（ＳＴＥＰ７）。選択ボタンが押されなかった場合は、販売処理を終了する。
【００２２】
残金≧商品価格、もしくは選択ボタンが押された場合は、商品金額を差し引いた残金および購入商品情報を非接触媒体３に送信する決算処理を行い（ＳＴＥＰ８）、決算処理後に商品搬出手段７に指示を出し、商品の搬出を行い（ＳＴＥＰ９）、販売処理を終了する。また、ＳＴＥＰ１において、商品が選択されることなく、非接触媒体３がかざされた（ＳＴＥＰ１０）場合は、認証処理を行う（ＳＴＥＰ１１）。認証処理が正常に行われなかった場合は、販売処理を終了する。
【００２３】
認証処理が正常に行われた場合は、非接触媒体３に組み込まれたＩＣチップ内のデータを送信する（ＳＴＥＰ１２）。送信データより、前回購入商品の有無の確認をする（ＳＴＥＰ１３）。前回購入した商品がある場合は、前回購入商品の販売待機ランプおよび砂糖やクリームの増減設定などの各種設定を表示し（ＳＴＥＰ１４）、表示されたランプの選択ボタンが選択されたかの確認を行う（ＳＴＥＰ１５）。
【００２４】
選択ボタンが選択されなかった場合は、販売を終了する。選択ボタンが選択された場合は、送信されたデータ内の残金と販売商品の価格との比較を行う（ＳＴＥＰ５）。残金＜前回購入商品価格、もしくは前回購入した商品がない場合は、販売可能な商品の選択ランプを点灯させ（ＳＴＥＰ６）、顧客２が他に希望する商品の選択ボタンが押されたかの確認を行う（ＳＴＥＰ７）。
【００２５】
選択ボタンが押されなかった場合は、販売処理を終了する。残金≧前回購入商品価格、もしくは選択ボタンが押された場合は、商品金額を差し引いた残金および購入商品情報を非接触媒体３に送信する決算処理を行い（ＳＴＥＰ８）、決算処理後に商品搬出手段７に指示を出し、商品の搬出を行い（ＳＴＥＰ９）、販売処理を終了する。
【００２６】
以上のように、本実施の形態においては商品を選択するための商品選択手段と、選択された商品を搬出するための商品搬出手段と、非接触媒体と情報を送受信する通信手段と、コラム毎に収納された商品を登録するための商品設定手段と、前記商品設定手段により登録された内容を記憶する商品記憶手段と、砂糖の分量などの各種設定を行うための各種設定手段と、前記商品選択手段と前記商品搬出手段と前記通信手段と前記商品設定手段と前記商品記憶手段と各種設定手段とに接続された演算制御部を備えたことにより、前記演算制御部は販売待機状態において先に前記商品選択手段により選択した後の非接触媒体による通信であると認識したときには、前記商品選択手段により選択された商品の搬出を前記商品搬出手段に指示し、販売待機状態において先に非接触媒体による通信であると認識したときには、前回購入した商品の前記商品選択手段の販売待機ランプおよび各種設定を表示させ、ランプ表示された前記商品選択手段を選択することにより前回購入した商品を搬出することが可能となり、非接触媒体をかざすだけで、顧客は前回購入商品の商品情報を容易に確認できるとともに、前回購入と同設定での商品購入においては砂糖やクリームなどの各種設定をすることなく、選択ボタンの操作だけで前回購入商品を購入することができる。
【００２７】
（実施の形態２）
図４は、本発明の実施の形態２における自動販売機の機能ブロック図である。図５は、同実施の形態の自動販売機の動作を示すフローチャートである。
【００２８】
図４において、取り消し手段１２は、演算制御部１１ｂに接続し、販売待機状態において先に非接触媒体をかざすことにより選択された前回購入商品をキャンセルするためのものである。
【００２９】
本実施の形態は、実施の形態１による自動販売機に、さらに、販売待機状態において先に非接触媒体をかざすことにより選択された前回購入商品をキャンセルするための取り消し手段１２を設けたものである。
【００３０】
以上のように構成された自動販売機について、以下その演算制御部１１ｂの動作、作用を図５のフローチャートをもとにして説明する。
【００３１】
まず、顧客２が自動販売機１の商品選択手段６の希望商品を選択するための選択ボタンが選択されたかの確認を行う（ＳＴＥＰ１）。商品が選択された場合は、非接触媒体３がかざされたかの確認を行う（ＳＴＥＰ２）。非接触媒体３がかざされなかった場合は、販売処理を終了する。非接触媒体３がかざされた場合は、認証処理を行う（ＳＴＥＰ３）。認証処理が正常に行われなかった場合は、販売処理を終了する。認証処理が正常に行われた場合は、非接触媒体３に組み込まれたＩＣチップ内のデータを送信する（ＳＴＥＰ４）。送信されたデータ内の残金と販売商品の価格との比較を行う（ＳＴＥＰ５）。
【００３２】
残金＜商品価格の場合は、販売可能な商品の選択ランプを点灯させ（ＳＴＥＰ６）、顧客２が他に希望する商品の選択ボタンが押されたかの確認を行う（ＳＴＥＰ７）。選択ボタンが押されなかった場合は、販売処理を終了する。残金≧商品価格、もしくは選択ボタンが押された場合は、商品金額を差し引いた残金および購入商品情報を非接触媒体３に送信する決算処理を行い（ＳＴＥＰ８）、決算処理後に商品搬出手段７に指示を出し、商品の搬出を行い（ＳＴＥＰ９）、販売処理を終了する。
【００３３】
また、ＳＴＥＰ１において、商品が選択されることなく、非接触媒体３がかざされた（ＳＴＥＰ１０）場合は、認証処理を行う（ＳＴＥＰ１１）。認証処理が正常に行われなかった場合は、販売処理を終了する。認証処理が正常に行われた場合は、非接触媒体３に組み込まれたＩＣチップ内のデータを送信する（ＳＴＥＰ１２）。送信データより、前回購入商品の有無の確認をする（ＳＴＥＰ１３）。
【００３４】
前回購入した商品がある場合は、前回購入商品の販売待機ランプおよび砂糖やクリームの増減設定などの各種設定を表示する（ＳＴＥＰ１４）。表示された内容から変更するためのキャンセルボタンが選択されたかの確認を行う（ＳＴＥＰ１６）。キャンセルボタンが選択されなかった場合は、表示されたランプの選択ボタンが選択されたかの確認を行う（ＳＴＥＰ１５）。
【００３５】
選択ボタンが選択されなかった場合は、販売を終了する。選択ボタンが選択された場合は、送信されたデータ内の残金と販売商品の価格との比較を行う（ＳＴＥＰ５）。残金＜前回購入商品価格、もしくは前回購入した商品がない、もしくはＳＴＥＰ１６においてキャンセルボタンを選択した場合は、販売可能な商品の選択ランプを点灯させ（ＳＴＥＰ６）、顧客２が他に希望する商品の選択ボタンが押されたかの確認を行う（ＳＴＥＰ７）。
【００３６】
選択ボタンが押されなかった場合は、販売処理を終了する。残金≧前回購入商品価格、もしくは選択ボタンが押された場合は、商品金額を差し引いた残金および購入商品情報を非接触媒体３に送信する決算処理を行い（ＳＴＥＰ８）、決算処理後に商品搬出手段７に指示を出し、商品の搬出を行い（ＳＴＥＰ９）、販売処理を終了する。
【００３７】
以上のように、本実施の形態においては請求項１に記載の発明に、さらに、販売待機状態において先に非接触媒体をかざすことにより選択された前回購入商品をキャンセルするための取り消し手段を備えたことにより、前記演算制御部は販売待機状態において先に非接触媒体による通信であると認識したときに選択される前回購入商品を前記取り消し手段によりキャンセルして、別の商品を選択できるようにすることが可能となり、商品情報をキャンセルするボタンを設けることで、気持ちの変化などにより別の商品が急に購入したくなったときには、非接触媒体をかざすことにより自動的に設定される前回購入商品や各種設定などの商品情報をキャンセルボタンの操作だけで一括解除することができるようになる。
【００３８】
（実施の形態３）
図６は、本発明の実施の形態３における自動販売機の機能ブロック図である。図７は、同実施の形態の自動販売機の動作を示すフローチャートである。
【００３９】
図６において、選択解除手段１３は、演算制御部１１ｃに接続し、販売待機状態において先に非接触媒体をかざすことにより選択された前回購入商品と別の商品を前記商品選択手段により選択することで自動的に選択解除するためのものである。
【００４０】
本実施の形態は、実施の形態１による自動販売機に、さらに、販売待機状態において先に非接触媒体をかざすことにより選択された前回購入商品と別の商品を前記商品選択手段により選択することで自動的に選択解除するための選択解除手段１３を設けたものである。
【００４１】
以上のように構成された自動販売機について、以下その演算制御部１１ｃの動作、作用を図７のフローチャートをもとにして説明する。
【００４２】
まず、顧客２が自動販売機１の商品選択手段６の希望商品を選択するための選択ボタンが選択されたかの確認を行う（ＳＴＥＰ１）。商品が選択された場合は、非接触媒体３がかざされたかの確認を行う（ＳＴＥＰ２）。非接触媒体３がかざされなかった場合は、販売処理を終了する。非接触媒体３がかざされた場合は、認証処理を行う（ＳＴＥＰ３）。認証処理が正常に行われなかった場合は、販売処理を終了する。認証処理が正常に行われた場合は、非接触媒体３に組み込まれたＩＣチップ内のデータを送信する（ＳＴＥＰ４）。送信されたデータ内の残金と販売商品の価格との比較を行う（ＳＴＥＰ５）。残金＜商品価格の場合は、販売可能な商品の選択ランプを点灯させ（ＳＴＥＰ６）、顧客２が他に希望する商品の選択ボタンが押されたかの確認を行う（ＳＴＥＰ７）。
【００４３】
選択ボタンが押されなかった場合は、販売処理を終了する。残金≧商品価格、もしくは選択ボタンが押された場合は、商品金額を差し引いた残金および購入商品情報を非接触媒体３に送信する決算処理を行い（ＳＴＥＰ８）、決算処理後に商品搬出手段７に指示を出し、商品の搬出を行い（ＳＴＥＰ９）、販売処理を終了する。また、ＳＴＥＰ１において、商品が選択されることなく、非接触媒体３がかざされた（ＳＴＥＰ１０）場合は、認証処理を行う（ＳＴＥＰ１１）。
【００４４】
認証処理が正常に行われなかった場合は、販売処理を終了する。認証処理が正常に行われた場合は、非接触媒体３に組み込まれたＩＣチップ内のデータを送信する（ＳＴＥＰ１２）。送信データより、前回購入商品の有無の確認をする（ＳＴＥＰ１３）。前回購入した商品がある場合は、前回購入商品の販売待機ランプおよび砂糖やクリームの増減設定などの各種設定を表示し（ＳＴＥＰ１４）、表示されたランプの選択ボタンが選択されたかの確認を行う（ＳＴＥＰ１５）。
【００４５】
選択ボタンが選択されなかった場合は、ランプ表示された前回購入商品と別商品の選択ボタンが選択されたかの確認を行う（ＳＴＥＰ１７）。別の選択ボタンが選択されなかった場合は、販売を終了する。ＳＴＥＰ１５およびＳＴＥＰ１６において選択ボタンが選択された場合は、送信されたデータ内の残金と販売商品の価格との比較を行う（ＳＴＥＰ５）。
【００４６】
残金＜前回購入商品価格、もしくは前回購入した商品がない場合は、販売可能な商品の選択ランプを点灯させ（ＳＴＥＰ６）、顧客２が他に希望する商品の選択ボタンが押されたかの確認を行う（ＳＴＥＰ７）。選択ボタンが押されなかった場合は、販売処理を終了する。残金≧前回購入商品価格、もしくは選択ボタンが押された場合は、商品金額を差し引いた残金および購入商品情報を非接触媒体３に送信する決算処理を行い（ＳＴＥＰ８）、決算処理後に商品搬出手段７に指示を出し、商品の搬出を行い（ＳＴＥＰ９）、販売処理を終了する。
【００４７】
以上のように、本実施の形態においては請求項１に記載の発明に、さらに、販売待機状態において先に非接触媒体をかざすことにより選択された前回購入商品と別の商品を前記商品選択手段により選択することで自動的に選択解除するための選択解除手段を備えたことにより、前記演算制御部は販売待機状態において先に非接触媒体による通信であると認識したときに選択された前回購入商品と別の商品を前記商品選択手段により選択することで、別の商品を購入できるようにすることが可能となり、別の商品を選択されたときに自動的に商品情報をキャンセルすることで、気持ちの変化などにより別の商品が急に購入したくなったときには、非接触媒体をかざすことにより自動的に設定される前回購入商品や各種設定などの商品情報を別の商品の選択ボタンを操作するだけで一括解除することができ、容易に別の購入することができる。
【００４８】
（実施の形態４）
図８は、本発明の実施の形態４における自動販売機の機能ブロック図である。図９は、同実施の形態の自動販売機の動作を示すフローチャートである。
【００４９】
図８において、貨幣切替手段１４は、演算制御部１１ｄに接続し、販売待機状態において先に非接触媒体をかざすことにより選択された前回購入商品を貨幣投入されることにより貨幣での購入を可能にするためのものである。
【００５０】
本実施の形態は、実施の形態１による自動販売機に販売待機状態において先に非接触媒体をかざすことにより選択された前回購入商品を貨幣投入されることにより貨幣での購入を可能にするための貨幣切替手段１４を備えたものである。
【００５１】
以上のように構成された自動販売機について、以下その演算制御部１１ｄの動作、作用を図９のフローチャートをもとにして説明する。
【００５２】
まず、顧客２が自動販売機１の商品選択手段６の希望商品を選択するための選択ボタンが選択されたかの確認を行う（ＳＴＥＰ１）。商品が選択された場合は、非接触媒体３がかざされたかの確認を行う（ＳＴＥＰ２）。
【００５３】
非接触媒体３がかざされなかった場合は、販売処理を終了する。非接触媒体３がかざされた場合は、認証処理を行う（ＳＴＥＰ３）。認証処理が正常に行われなかった場合は、販売処理を終了する。認証処理が正常に行われた場合は、非接触媒体３に組み込まれたＩＣチップ内のデータを送信する（ＳＴＥＰ４）。送信されたデータ内の残金と販売商品の価格との比較を行う（ＳＴＥＰ５）。
【００５４】
残金＜商品価格の場合は、販売可能な商品の選択ランプを点灯させ（ＳＴＥＰ６）、顧客２が他に希望する商品の選択ボタンが押されたかの確認を行う（ＳＴＥＰ７）。選択ボタンが押されなかった場合は、販売処理を終了する。残金≧商品価格、もしくは選択ボタンが押された場合は、商品金額を差し引いた残金および購入商品情報を非接触媒体３に送信する決算処理を行い（ＳＴＥＰ８）、決算処理後に商品搬出手段７に指示を出し、商品の搬出を行い（ＳＴＥＰ９）、販売処理を終了する。
【００５５】
また、ＳＴＥＰ１において、商品が選択されることなく、非接触媒体３がかざされた（ＳＴＥＰ１０）場合は、認証処理を行う（ＳＴＥＰ１１）。認証処理が正常に行われなかった場合は、販売処理を終了する。認証処理が正常に行われた場合は、非接触媒体３に組み込まれたＩＣチップ内のデータを送信する（ＳＴＥＰ１２）。送信データより、前回購入商品の有無の確認をする（ＳＴＥＰ１３）。
【００５６】
前回購入した商品がある場合は、前回購入商品の販売待機ランプおよび砂糖やクリームの増減設定などの各種設定を表示する（ＳＴＥＰ１４）。貨幣および紙幣の投入がされたかの確認を行う（ＳＴＥＰ１８）。貨幣および紙幣の投入がされた場合は、現金販売を可能にする（ＳＴＥＰ１９）。貨幣および紙幣の投入がされなかった場合は、表示されたランプの選択ボタンが選択されたかの確認を行う（ＳＴＥＰ１５）。選択ボタンが選択されなかった場合は、販売を終了する。
【００５７】
選択ボタンが選択された場合は、送信されたデータ内の残金もしくは投入された貨幣および紙幣の合計金額と販売商品の価格との比較を行う（ＳＴＥＰ５）。残金もしくは投入された貨幣および紙幣の合計金額＜前回購入商品価格、もしくは前回購入した商品がない場合は、販売可能な商品の選択ランプを点灯させ（ＳＴＥＰ６）、顧客２が他に希望する商品の選択ボタンが押されたかの確認を行う（ＳＴＥＰ７）。
【００５８】
選択ボタンが押されなかった場合は、販売処理を終了する。残金≧前回購入商品価格、もしくは選択ボタンが押された場合は、商品金額を差し引いた残金および購入商品情報を非接触媒体３に送信する決算処理を行い（ＳＴＥＰ８）、決算処理後に商品搬出手段７に指示を出し、商品の搬出を行い（ＳＴＥＰ９）、販売処理を終了する。
【００５９】
以上のように、本実施の形態においては請求項３記載の発明に、さらに、販売待機状態において先に非接触媒体をかざすことにより選択された前回購入商品を貨幣投入されることにより貨幣での購入を可能にするための貨幣切替手段を備えたことにより、前記演算制御部は販売待機状態において先に非接触媒体による通信であると認識したときに選択された前回購入商品を貨幣投入することにより貨幣で商品購入をできるようにすることが可能となり、貨幣が投入されたときには貨幣販売ができるようにすることで、非接触媒体をかざすことにより自動的に設定される前回購入商品や各種設定などの商品情報を利用した貨幣販売にて前回購入商品を購入することができる。
【００６０】
（実施の形態５）
図１０は、本発明の実施の形態５における自動販売機の機能ブロック図である。図１１は、同実施の形態の自動販売機の動作を示すフローチャートである。
【００６１】
図１０において、履歴表示手段１５は、演算制御部１１ｅに接続し、過去の購入商品を表示させるためのものである。
【００６２】
本実施の形態は、実施の形態１による自動販売機に、さらに、過去の購入商品を表示させるための履歴表示手段１５を設けたものである。
【００６３】
以上のように構成された自動販売機について、以下その演算制御部１１ｅの動作、作用を図１１のフローチャートをもとにして説明する。
【００６４】
まず、顧客２が自動販売機１の商品選択手段６の希望商品を選択するための選択ボタンが選択されたかの確認を行う（ＳＴＥＰ１）。商品が選択された場合は、非接触媒体３がかざされたかの確認を行う（ＳＴＥＰ２）。非接触媒体３がかざされなかった場合は、販売処理を終了する。非接触媒体３がかざされた場合は、認証処理を行う（ＳＴＥＰ３）。
【００６５】
認証処理が正常に行われなかった場合は、販売処理を終了する。認証処理が正常に行われた場合は、非接触媒体３に組み込まれたＩＣチップ内のデータを送信する（ＳＴＥＰ４）。送信されたデータ内の残金と販売商品の価格との比較を行う（ＳＴＥＰ５）。残金＜商品価格の場合は、販売可能な商品の選択ランプを点灯させ（ＳＴＥＰ６）、顧客２が他に希望する商品の選択ボタンが押されたかの確認を行う（ＳＴＥＰ７）。選択ボタンが押されなかった場合は、販売処理を終了する。
【００６６】
残金≧商品価格、もしくは選択ボタンが押された場合は、商品金額を差し引いた残金および購入商品情報を非接触媒体３に送信する決算処理を行い（ＳＴＥＰ８）、決算処理後に商品搬出手段７に指示を出し、商品の搬出を行い（ＳＴＥＰ９）、販売処理を終了する。また、ＳＴＥＰ１において、商品が選択されることなく、非接触媒体３がかざされた（ＳＴＥＰ１０）場合は、認証処理を行う（ＳＴＥＰ１１）。
【００６７】
認証処理が正常に行われなかった場合は、販売処理を終了する。認証処理が正常に行われた場合は、非接触媒体３に組み込まれたＩＣチップ内のデータを送信する（ＳＴＥＰ１２）。送信データより、前回購入商品の有無の確認をする（ＳＴＥＰ１３）。前回購入した商品がある場合は、前回購入商品の販売待機ランプおよび砂糖やクリームの増減設定などの各種設定を表示する（ＳＴＥＰ１４）。履歴切替ボタンが選択されたかの確認を行う（ＳＴＥＰ２０）。
【００６８】
履歴切替ボタンが選択された場合は、ＳＴＥＰ２０にて選択された回数＋１だけ過去に購入した商品の販売待機ランプおよび各種設定を表示する（ＳＴＥＰ２１）。履歴切替ボタンが選択されなかった場合は、表示されたランプの選択ボタンが選択されたかの確認を行う（ＳＴＥＰ１５）。
【００６９】
選択ボタンが選択されなかった場合は、販売を終了する。選択ボタンが選択された場合は、送信されたデータ内の残金と販売商品の価格との比較を行う（ＳＴＥＰ５）。残金＜前回購入商品価格、もしくは前回購入した商品がない場合は、販売可能な商品の選択ランプを点灯させ（ＳＴＥＰ６）、顧客２が他に希望する商品の選択ボタンが押されたかの確認を行う（ＳＴＥＰ７）。
【００７０】
選択ボタンが押されなかった場合は、販売処理を終了する。残金≧前回購入商品価格、もしくは選択ボタンが押された場合は、商品金額を差し引いた残金および購入商品情報を非接触媒体３に送信する決算処理を行い（ＳＴＥＰ８）、決算処理後に商品搬出手段７に指示を出し、商品の搬出を行い（ＳＴＥＰ９）、販売処理を終了する。
【００７１】
以上のように、本実施の形態においては請求項１に記載の発明に、さらに、過去の購入商品を表示させるための履歴表示手段を備えたことにより、前記演算制御部は販売待機状態において先に非接触媒体による通信であると認識したときには、前回購入した商品の前記商品選択手段の販売待機ランプおよび各種設定を表示させ、さらに前記履歴表示手段を操作するごとに前々回、前々前回と購入した商品の前記商品選択手段の販売待機ランプおよび各種設定を表示させ、ランプ表示された前記商品選択手段を選択することにより過去に購入した商品を購入することができるようにすることが可能となり、過去の商品情報を検索することができるようにすることで、顧客は過去の購入商品の商品情報を容易に確認できるとともに、過去の購入と同設定での商品購入においては砂糖やクリームなどの各種設定をすることなく、選択ボタンの操作だけで過去の購入商品を購入することができる。
【産業上の利用可能性】
【００７２】
以上のように、本発明にかかる自動販売機は、非接触媒体をかざすだけで商品を購入が可能となるので、個人毎の設定入力を必要とする製品等の用途にも適用できる。
【図面の簡単な説明】
【００７３】
【図１】本発明の実施の形態１における自働販売機の概略構成図
【図２】同実施の形態の自動販売機の機能ブロック図
【図３】同実施の形態の自動販売機の動作を示すフローチャート
【図４】本発明の実施の形態２における自動販売機の機能ブロック図
【図５】同実施の形態の自動販売機の動作を示すフローチャート
【図６】本発明の実施の形態３における自動販売機の機能ブロック図
【図７】同実施の形態の自動販売機の動作を示すフローチャート
【図８】本発明の実施の形態４における自動販売機の機能ブロック図
【図９】同実施の形態の自動販売機の動作を示すフローチャート
【図１０】本発明の実施の形態５における自動販売機の機能ブロック図
【図１１】同実施の形態の自動販売機の動作を示すフローチャート
【図１２】従来の自動販売機の概略構成図
【符号の説明】
【００７４】
１    自動販売機本体
２    顧客
３    非接触媒体
４    通信手段
５    制御装置
６    商品選択手段
７    商品搬出手段
８    商品設定手段
９    商品記憶手段
１０  各種設定手段
１１ａ，１１ｂ，１１ｃ，１１ｄ，１１ｅ  演算制御部
１２  取り消し手段
１３  選択解除手段
１４  貨幣切替手段
１５  履歴表示手段
【図１】
2007011922.tif 000003
【図２】
2007011922.tif 000004
【図３】
2007011922.tif 000005
【図４】
2007011922.tif 000006
【図５】
2007011922.tif 000007
【図６】
2007011922.tif 000008
【図７】
2007011922.tif 000009
【図８】
2007011922.tif 000010
【図９】
2007011922.tif 000011
【図１０】
2007011922.tif 000012
【図１１】
2007011922.tif 000013
【図１２】
2007011922.tif 000014